(57)【要約】【課題】本発明は、ＳＩＭカードが挿入された携帯端末を通信ネットワークへアクセスさせる際のユーザの利便性を向上させることを可能とすることを目的とする。【解決手段】制御方法は、携帯端末２から通信ネットワーク２０へのアクセスがあった場合、所定のＳＩＭカード２１に関する情報と関連付けて記憶部３２に記憶されたユーザ情報が、ユーザによって登録された正式ユーザ情報又は仮に設定された仮ユーザ情報の何れであるかを判定し、ユーザ情報が仮ユーザ情報であった場合、携帯端末から通信ネットワークへのアクセスを拒否し、ユーザ情報が前記仮ユーザ情報であった場合、所定の情報の送信を促す情報を携帯端末に送信し、携帯端末から所定の情報を受信した場合、携帯端末から通信ネットワークへのアクセスを許可するために、所定の情報を正式ユーザ情報として所定のＳＩＭカードに関する情報に関連付けて記憶部に登録することを含む。【選択図】図１
2018046533.tif 000002
【特許請求の範囲】
【請求項１】
ＳＩＭカードに関する情報とユーザ情報とを関連付けて記憶する記憶部を備えるネットワーク制御装置を有する通信システムにおいて、所定のＳＩＭカードが挿入された携帯端末による通信ネットワークへのアクセスを管理する制御方法であって、
前記携帯端末から前記通信ネットワークへのアクセスがあった場合、前記所定のＳＩＭカードに関する情報と関連付けて前記記憶部に記憶されたユーザ情報が、ユーザによって登録された正式ユーザ情報又は仮に設定された仮ユーザ情報の何れであるかを判定し、
前記ユーザ情報が前記仮ユーザ情報であった場合、前記携帯端末から前記通信ネットワークへのアクセスを拒否し、
前記ユーザ情報が前記仮ユーザ情報であった場合、所定の情報の送信を促す情報を前記携帯端末に送信し、
前記携帯端末から前記所定の情報を受信した場合、前記携帯端末から前記通信ネットワークへのアクセスを許可するために、前記所定の情報を正式ユーザ情報として前記所定のＳＩＭカードに関する情報に関連付けて前記記憶部に登録する、
ことを含むことを特徴とする制御方法。
【請求項２】
前記所定のＳＩＭカードに関する情報に関連付けて正式ユーザ情報が登録された場合、前記携帯端末からクレジットカード情報を受信しているか否かに関わらず、所定期間又は所定通信量に限り前記携帯端末から前記通信ネットワークへのアクセスを許可し、
前記携帯端末から前記通信ネットワークへのアクセスを許可する期間又は通信量の追加指示とともにクレジットカード情報を受信した場合、前記携帯端末による前記通信ネットワークへのアクセスを許可する期間又は通信量を追加する、請求項１に記載の制御方法。
【請求項３】
前記所定の情報として、公的機関により発行された身分証明書に記載された情報、及び、前記身分証明書を撮影した画像を受信し、
前記身分証明書を撮影した画像を用いた前記身分証明書に記載された情報の認証に成功した場合、前記身分証明書に記載された情報を正式ユーザ情報として前記所定のＳＩＭカードに関する情報に関連付けて前記記憶部に登録する、請求項１または２に記載の制御方法。
【請求項４】
前記ＳＩＭカードに関する情報は、ＩＭＳＩである、請求項１〜３の何れか一項に記載の制御方法。
【請求項５】
ネットワーク制御装置を有し、所定のＳＩＭカードが挿入された携帯端末による通信ネットワークへのアクセスを管理する通信システムであって、前記ネットワーク制御装置は、
ＳＩＭカードに関する情報とユーザ情報とを関連付けて記憶する記憶部と、
前記携帯端末から前記通信ネットワークへのアクセスがあった場合、前記所定のＳＩＭカードに関する情報と関連付けて前記記憶部に記憶されたユーザ情報が、ユーザによって登録された正式ユーザ情報又は仮に設定された仮ユーザ情報の何れであるかを判定する判定部と、
前記ユーザ情報が前記仮ユーザ情報であった場合、前記携帯端末から前記通信ネットワークへのアクセスを拒否するアクセス制御部と、
前記ユーザ情報が前記仮ユーザ情報であった場合、所定の情報の送信を促す情報を前記携帯端末に送信する送信部と、
前記携帯端末から前記所定の情報を受信した場合、前記携帯端末から前記通信ネットワークへのアクセスを許可するために、前記所定の情報を正式ユーザ情報として前記所定のＳＩＭカードに関する情報に関連付けて前記記憶部に登録する登録部と、
を有することを特徴とする通信システム。
【発明の詳細な説明】
【技術分野】
【０００１】
本発明は、携帯端末から通信ネットワークへのアクセスを管理するための制御方法及び通信システムに関する。
【背景技術】
【０００２】
近年、携帯電話システムにおいて、ユーザが加入契約している通信事業者と提携している外国の通信事業者の設備を利用して、特定のサービスを受けられるようにする国際ローミングサービスが提供されている。
【０００３】
特許文献１には、端末装置のサービス要求に応じて、ローミング先の網に構築されたサービス提供サーバが端末装置にサービスを提供するサービス提供管理システムが開示されている。
【先行技術文献】
【特許文献】
【０００４】
【特許文献１】特開２０１２−１０９７０９号公報
【発明の概要】
【発明が解決しようとする課題】
【０００５】
一般に、国外のユーザが、加入契約している国外の通信事業者と提携している日本国内の通信事業者の通信ネットワークを利用して国際ローミングサービスを受ける場合、加入契約している国外の通信事業者の料金設定に従って料金が決定される。この場合、加入契約している国外の通信事業者は、国内の通信事業者に対して設備の利用料金を支払う必要があるため、決定される料金は高額になる傾向にある。
【０００６】
一方、国外のユーザが使用する携帯端末に、国内の通信事業者が提供するＳＩＭ（Subscriber Identity Module）カード等の記憶媒体を挿入して、国内の通信事業者の通信ネットワークを利用可能にするサービスも提供されている。しかしながら、各通信事業者は、国外のユーザに特定のサービスを提供する場合、不測の事態が発生した場合に備えて、そのユーザの連絡先等、ユーザに関する情報を取得しておく必要がある。そのため、このようなサービスを利用する場合、ユーザは、国内の通信事業者が営業する店舗に訪れ、連絡先等の情報を店員に通知した上でＳＩＭカードを購入する必要があった。特に、海外からの旅行者にとって、通信事業者が営業する店舗に訪れてＳＩＭカードを購入することは、手間のかかる作業であり、ユーザの利便性を低減させていた。
【０００７】
本発明は、このような従来の課題を解決すべくなされたものであり、ＳＩＭカードが挿入された携帯端末を通信ネットワークへアクセスさせる際のユーザの利便性を向上させることを可能とする制御方法及び通信システムを提供することを目的とする。
【課題を解決するための手段】
【０００８】
本発明に係る制御方法は、ＳＩＭカードに関する情報とユーザ情報とを関連付けて記憶する記憶部を備えるネットワーク制御装置を有する通信システムにおいて、所定のＳＩＭカードが挿入された携帯端末による通信ネットワークへのアクセスを管理する制御方法であって、携帯端末から通信ネットワークへのアクセスがあった場合、所定のＳＩＭカードに関する情報と関連付けて記憶部に記憶されたユーザ情報が、ユーザによって登録された正式ユーザ情報又は仮に設定された仮ユーザ情報の何れであるかを判定し、ユーザ情報が仮ユーザ情報であった場合、携帯端末から通信ネットワークへのアクセスを拒否し、ユーザ情報が仮ユーザ情報であった場合、所定の情報の送信を促す情報を携帯端末に送信し、携帯端末から所定の情報を受信した場合、携帯端末から通信ネットワークへのアクセスを許可するために、所定の情報を正式ユーザ情報として所定のＳＩＭカードに関する情報に関連付けて記憶部に登録することを含む。
【０００９】
また、本発明に係る制御方法において、所定のＳＩＭカードに関する情報に関連付けて正式ユーザ情報が登録された場合、携帯端末からクレジットカード情報を受信しているか否かに関わらず、所定期間又は所定通信量に限り携帯端末から通信ネットワークへのアクセスを許可し、携帯端末から通信ネットワークへのアクセスを許可する期間又は通信量の追加指示とともにクレジットカード情報を受信した場合、携帯端末による通信ネットワークへのアクセスを許可する期間又は通信量を追加することが好ましい。
【００１０】
また、本発明に係る制御方法において、所定の情報として、公的機関により発行された身分証明書に記載された情報、及び、身分証明書を撮影した画像を受信し、身分証明書を撮影した画像を用いた身分証明書に記載された情報の認証に成功した場合、身分証明書に記載された情報を正式ユーザ情報として所定のＳＩＭカードに関する情報に関連付けて記憶部に登録することが好ましい。
【００１１】
また、本発明に係る制御方法において、ＳＩＭカードに関する情報は、ＩＭＳＩ（International Mobile Subscriber Identity）であることが好ましい。
【００１２】
本発明に係る通信システムは、ネットワーク制御装置を有し、所定のＳＩＭカードが挿入された携帯端末による通信ネットワークへのアクセスを管理する通信システムであって、ネットワーク制御装置は、ＳＩＭカードに関する情報とユーザ情報とを関連付けて記憶する記憶部と、携帯端末から通信ネットワークへのアクセスがあった場合、所定のＳＩＭカードに関する情報と関連付けて記憶部に記憶されたユーザ情報が、ユーザによって登録された正式ユーザ情報又は仮に設定された仮ユーザ情報の何れであるかを判定する判定部と、ユーザ情報が仮ユーザ情報であった場合、携帯端末から通信ネットワークへのアクセスを拒否するアクセス制御部と、ユーザ情報が仮ユーザ情報であった場合、所定の情報の送信を促す情報を携帯端末に送信する送信部と、携帯端末から所定の情報を受信した場合、携帯端末から通信ネットワークへのアクセスを許可するために、所定の情報を正式ユーザ情報として所定のＳＩＭカードに関する情報に関連付けて記憶部に登録する登録部と、を有する。
【発明の効果】
【００１３】
本発明に係る制御方法及び通信システムは、ＳＩＭカードが挿入された携帯端末を通信ネットワークへアクセスさせる際のユーザの利便性を向上させることが可能となる。
【図面の簡単な説明】
【００１４】
【図１】通信システム１による処理の一例を説明するための模式図である。
【図２】通信システム１の概略構成の一例を示す図である。
【図３】ユーザ情報管理サーバ３の概略構成の一例を示す図である。
【図４】ＳＩＭカードテーブルのデータ構造の一例を示す図である。
【図５】帯域制御装置４の概略構成の一例を示す図である。
【図６】ユーザ情報受付サーバ５の概略構成の一例を示す図である。
【図７】事前登録処理に係る動作シーケンスの一例を示す。
【図８】正式登録処理に係る動作シーケンスの一例を示す。
【図９】携帯端末２に表示される画面の一例である。
【図１０】監視処理に係る動作シーケンスの一例を示す。
【図１１】追加処理に係る動作シーケンスの一例を示す。
【図１２】携帯端末２に表示される画面の一例である。
【発明を実施するための形態】
【００１５】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１６】
図１は、通信システム１による処理の一例を説明するための模式図である。
【００１７】
通信システム１は、携帯端末２、ユーザ情報管理サーバ３、帯域制御装置４及びユーザ情報受付サーバ５等を有し、ＳＩＭカード２１が挿入された携帯端末２による通信ネットワーク２０へのアクセスを管理する。携帯端末２は、国外の通信事業者と加入契約している国外のユーザにより使用され、主にその国外の通信事業者が提供する国外のネットワークを介して通信する携帯電話である。その国外の通信事業者は、国内の通信事業者とローミング提携しており、携帯端末２は、さらに、国内において、その国内の通信事業者が提供する国内の通信ネットワーク２０を介して通信可能である。
【００１８】
携帯端末２のユーザは、国内の通信事業者により提供された国内用のＳＩＭカード２１を事前に取得しており、携帯端末２には、そのＳＩＭカード２１が挿入されている。ＳＩＭカード２１は、記憶媒体の一例である。ＳＩＭカード２１は、国内又は国外の任意の店舗もしくは自動販売機等で販売され、ユーザは、連絡先等の情報を提供することなく、ＳＩＭカード２１を購入することができる。なお、本実施形態では、ＳＩＭカード２１は、国内の通信ネットワーク２０を介してデータ通信を行うために用いられるが、音声通信（通話）を行うために用いられてもよい。
【００１９】
ユーザ情報管理サーバ３及びユーザ情報受付サーバ５は、国内の通信事業者が提供するサーバであり、帯域制御装置４は、国内の通信事業者が提供するネットワーク装置である。ユーザ情報管理サーバ３、帯域制御装置４及びユーザ情報受付サーバ５は、通信ネットワーク２０を介して相互に通信可能に接続される。携帯端末２は、帯域制御装置４と通信可能に接続され、帯域制御装置４を介して通信ネットワーク２０にアクセスする。
【００２０】
図１に示す例では、まず、ＳＩＭカード２１が販売される前にＳＩＭカード２１の事前登録が行われており、ユーザ情報管理サーバ３には、ＳＩＭカード２１のＩＭＳＩとユーザ情報とが関連づけて記憶されている。ＩＭＳＩとは、ＧＳＭ（登録商標）（Global System for Mobile communications）方式又は携帯電話方式の携帯電話加入者に発行される、国際的な加入者識別番号である。ＩＭＳＩは、ＳＩＭカードごとに固有の番号であり、ＳＩＭカードに記憶される。ＳＩＭカードに割り当てられたＩＭＳＩは、ＳＩＭカードに関する情報の一例であり、国内のネットワークを使用するために使用される。
【００２１】
ユーザ情報は、ＳＩＭカードを使用するユーザを示す情報であり、パスポート等の公的機関により発行された身分証明書に記載された情報（ユーザの名前、パスポート番号）、又は、ホテル等の滞在先の名称もしくは住所等である。事前登録の時点では、ユーザ情報として仮ユーザ情報が設定されている。仮ユーザ情報は、仮に設定された一時的なユーザ情報であり、任意の情報である。
【００２２】
まず、ＳＩＭカード２１が挿入された携帯端末２から通信ネットワーク２０へのアクセスがあった場合（１）、帯域制御装置４は、ＳＩＭカード２１のＩＭＳＩと関連付けてユーザ情報管理サーバ３に記憶されたユーザ情報が正式ユーザ情報又は仮ユーザ情報の何れであるかを判定する（２）。正式ユーザ情報は、ＳＩＭカード２１が挿入された携帯端末２のユーザによって登録されたユーザ情報である。
【００２３】
ユーザ情報が仮ユーザ情報であった場合、帯域制御装置４は、携帯端末２から通信ネットワーク２０へのアクセスを拒否する。その場合、帯域制御装置４は、ユーザ情報受付サーバ５へのアクセスのみを許可し、通信ネットワーク２０と通信接続している他の装置へのアクセスを拒否する（３）。
【００２４】
携帯端末２からユーザ情報受付サーバ５へアクセスされた場合、ユーザ情報受付サーバ５は、入力ユーザ情報の送信を促す入力要求情報を帯域制御装置４を介して携帯端末２に送信する（４）。入力ユーザ情報は、所定の情報の一例であり、携帯端末２のユーザによって入力されるユーザ情報である。例えば、入力ユーザ情報は、公的機関により発行された身分証明書に記載された情報及びその身分証明書を撮影した画像、又は、滞在先の名称もしくは住所及びその滞在先により発行された領収書等を撮影した画像等である。ユーザ情報受付サーバ５は、入力要求情報として、例えば入力ユーザ情報の入力フォームを有するＷｅｂ画面を携帯端末２に送信する。
【００２５】
携帯端末２は、ユーザによって入力ユーザ情報が入力された場合、入力ユーザ情報を帯域制御装置４を介してユーザ情報受付サーバ５に送信する（５）。ユーザ情報受付サーバ５は、携帯端末２から入力ユーザ情報を受信した場合、受信した入力ユーザ情報をユーザ情報管理サーバ３に転送する（６）。
【００２６】
ユーザ情報管理サーバ３は、入力ユーザ情報を受信した場合、ＳＩＭカード２１のＩＭＳＩに関連付けて記憶された仮ユーザ情報を、受信した入力ユーザ情報に更新する。即ち、ユーザ情報管理サーバ３は、受信した入力ユーザ情報を正式ユーザ情報としてＳＩＭカード２１のＩＭＳＩに関連付けて登録する（７）。これにより、ＳＩＭカード２１が挿入された携帯端末２から通信ネットワーク２０へのアクセスが許可される。携帯端末２は、通信ネットワーク２０を制限なく利用することが可能となり、ユーザ情報受付サーバ５以外の、通信ネットワーク２０と通信接続している他の装置へアクセスすることが可能となる。
【００２７】
このように、通信システム１は、ＳＩＭカード２１について仮ユーザ情報を事前に登録しておき、ＳＩＭカード２１が挿入された携帯端末２が正式ユーザ情報を登録するためのユーザ情報受付サーバ５にのみアクセス可能に設定しておく。ユーザ情報受付サーバ５は、携帯端末２からアクセスがあった場合、携帯端末２のユーザに入力ユーザ情報の送信を促して、正式ユーザ情報を登録させる。これにより、携帯端末２のユーザは、国内の通信事業者が営業する店舗に訪れることなく、通信ネットワーク２０を介して正式ユーザ情報を登録することが可能となる。通信システム１は、国外のユーザに、国内の通信事業者が営業する店舗に訪れさせることなく、ユーザに関する情報を取得することができ、不測の事態が発生した場合に、ユーザに連絡を取ることが可能となる。したがって、通信システム１は、ＳＩＭカード２１が挿入された携帯端末２を通信ネットワーク２０へアクセスさせる際のユーザの利便性を向上させることが可能となる。
【００２８】
図２は、実施形態に従った通信システム１の概略構成の一例を示す図である。
【００２９】
通信システム１は、携帯端末２、ユーザ情報管理サーバ３、帯域制御装置４、ユーザ情報受付サーバ５、設定端末６、サービス設定サーバ７、サービス管理サーバ８、ＨＬＲ／ＨＳＳ（Home Location Register/Home Subscriber Server）９、状態管理サーバ１０及び基地局１１等を有する。ユーザ情報管理サーバ３、帯域制御装置４、ユーザ情報受付サーバ５、設定端末６、サービス設定サーバ７、サービス管理サーバ８、ＨＬＲ／ＨＳＳ９及び状態管理サーバ１０は、通信システムが有するネットワーク制御装置の一例である。
【００３０】
通信システム１では、基地局１１が、特定の地域内をカバーする無線ゾーンを管理するように配置され、帯域制御装置４を介して携帯電話の通信ネットワーク２０に接続される。その特定の地域内の携帯端末２は、ＨＬＲ／ＨＳＳ９に位置登録されていること及び状態管理サーバ１０に通信ネットワーク２０へのアクセスの許可が登録されていることを条件に、基地局１１を介して通信ネットワーク２０に接続され、その地域内外の他の携帯端末、コンピュータ及びサーバ等と通信を行う。
【００３１】
携帯端末２は、例えば携帯電話（いわゆる「フィーチャーフォン」）、多機能携帯電話（いわゆる「スマートフォン」）等である。携帯端末２は、国外の通信事業者と加入契約している国外のユーザにより使用され、主にその通信事業者が提供する国外のネットワーク（不図示）を介して通信可能な携帯電話である。その国外の通信事業者は、通信ネットワーク２０を提供する国内の通信事業者とローミング提携しており、携帯端末２は、国内において通信ネットワーク２０を介して通信可能である。携帯端末２は、通信ネットワーク２０への接続、通話、所定のアプリケーションプログラムの実行等を可能とする。また、携帯端末２は、ＳＩＭカードを着脱可能に保持するカードスロット（ＳＩＭスロット）を備え、カードスロットに装着（挿入）されたＳＩＭカードに記憶された各種情報を読み出す。
【００３２】
設定端末６は、例えばパーソナルコンピュータ等のコンピュータであり、ユーザ情報管理サーバ３と通信接続され、操作者によりＳＩＭカードの事前登録を行うために用いられる。
【００３３】
サービス設定サーバ７は、通信ネットワーク２０と通信接続され、ユーザ情報管理サーバ３から、ＳＩＭカード２１が挿入された携帯端末２から通信ネットワーク２０へのアクセスの許可の登録を受け付ける。また、サービス設定サーバ７は、携帯端末２がＨＬＲ／ＨＳＳ９に位置登録できるように、携帯端末２に挿入されるＳＩＭカード２１のＩＭＳＩをＨＬＲ／ＨＳＳ９に登録する。さらに、サービス設定サーバ７は、携帯端末２が通信ネットワーク２０にアクセスできるように、携帯端末２に挿入されるＳＩＭカード２１のＩＭＳＩを状態管理サーバ１０に登録する。
【００３４】
サービス管理サーバ８は、通信ネットワーク２０と通信接続され、ＳＩＭカード２１が挿入された携帯端末２による通信ネットワーク２０の使用状態（使用期間及び使用通信量）を監視する。また、サービス管理サーバ８は、ユーザ情報受付サーバ５から、ＳＩＭカード２１が挿入された携帯端末２から通信ネットワーク２０へのアクセスを許可する期間（許可期間）又は通信量（許可通信量）の追加要求を受け付ける。サービス管理サーバ８は、追加要求を受け付けた許可期間又は許可通信量における、携帯端末２から通信ネットワーク２０へのアクセスの許可をサービス設定サーバ７に登録する。
【００３５】
ＨＬＲ／ＨＳＳ９は、携帯端末２の位置登録を行うための加入者データベースである。
【００３６】
状態管理サーバ１０は、携帯端末２に提供するサービスの状態を管理するためのサーバであり、携帯端末２による通信ネットワーク２０へのアクセスが許可されているか拒否されているかを記憶する。状態管理サーバ１０は、ＤＳＧＷ（Directory Server Gateway）等の不図示のゲートウェイ装置を介して、サービス設定サーバ７と通信可能に接続される。
【００３７】
図３は、ユーザ情報管理サーバ３の概略構成の一例を示す図である。
【００３８】
ユーザ情報管理サーバ３は、携帯端末２のユーザが加入契約している国外の通信事業者がローミング提携している国内の通信事業者により提供されるサーバであり、その国内の通信事業者により提供される通信ネットワーク２０と通信接続される。ユーザ情報管理サーバ３は、その国内の通信事業者により提供されたＳＩＭカード２１が挿入された携帯端末２による通信ネットワーク２０の使用を管理する。そのために、ユーザ情報管理サーバ３は、第１通信部３１と、第１記憶部３２と、第１処理部３３とを備える。
【００３９】
第１通信部３１は、ユーザ情報管理サーバ３を通信ネットワーク２０に接続するための通信インターフェース回路を有する。第１通信部３１は、通信ネットワーク２０から受信したデータを第１処理部３３に供給し、第１処理部３３から受信したデータを通信ネットワーク２０に送信する。
【００４０】
第１記憶部３２は、例えば、半導体メモリ、磁気ディスク装置、及び光ディスク装置の内の少なくとも一つを有する。第１記憶部３２は、第１処理部３３による処理に用いられるコンピュータプログラム、データ等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて第１記憶部３２にインストールされてもよい。また、第１記憶部３２は、データとして、ＳＩＭカードの情報を管理するＳＩＭカードテーブルを記憶する。
【００４１】
図４は、ＳＩＭカードテーブルのデータ構造の一例を示す図である。
【００４２】
図４に示すように、ＳＩＭカードテーブルには、国外の通信事業者がローミング提携している国内の通信事業者が提供するＳＩＭカード毎に、各ＳＩＭカードの登録コード、各ＳＩＭカードに割り当てられたＭＳＮ（Mobile Subscriber Number）、ＩＭＳＩ、ユーザ情報及び状態等が相互に関連付けて予め登録されている。ＭＳＮは、ＳＩＭカードに割り当てられた電話番号であり、ＳＩＭカードに割り当てられたＭＳＮは、国内の通信ネットワーク２０を使用するための電話番号である。状態は、ＳＩＭカードが挿入された携帯端末２による通信ネットワーク２０の使用を許可するための登録に関する状態である。状態には、未登録、仮登録、正式登録の三つの状態が含まれ、状態の初期値は、未登録である。
【００４３】
図３に戻って、第１処理部３３は、一又は複数個のプロセッサ及びその周辺回路を有する。第１処理部３３は、ユーザ情報管理サーバ３の全体的な動作を統括的に制御するものであり、例えば、ＣＰＵ（Central Processing Unit）である。第１処理部３３は、ユーザ情報管理サーバ３の各種処理が第１記憶部３２に記憶されているプログラム等に応じて適切な手順で実行されるように、第１通信部３１等の動作を制御する。第１処理部３３は、第１記憶部３２に記憶されているコンピュータプログラムに基づいて処理を実行する。
【００４４】
第１処理部３３は、仮登録部３３１と、登録部３３２とを有する。第１処理部３３が有するこれらの各部は、第１処理部３３が有するプロセッサ上で実行されるコンピュータプログラムによって実装される機能モジュールである。あるいは、第１処理部３３が有するこれらの各部は、独立した集積回路、マイクロプロセッサ、又はファームウェアとしてユーザ情報管理サーバ３に実装されてもよい。
【００４５】
図５は、帯域制御装置４の概略構成の一例を示す図である。
【００４６】
帯域制御装置４は、ユーザ情報管理サーバ３と同様に、国内の通信事業者により提供されるネットワーク機器であり、通信ネットワーク２０と通信接続される。帯域制御装置４は、携帯端末２から通信ネットワーク２０へのアクセスを制御する。そのために、帯域制御装置４は、端末側通信部４１と、網側通信部４２と、第２記憶部４３と、第２処理部４４とを備える。
【００４７】
端末側通信部４１は、基地局１１等を介して携帯端末２と通信するための通信インターフェース回路を有する。端末側通信部４１は、基地局１１等を介して携帯端末２から受信したデータを網側通信部４２に供給し、網側通信部４２から受信したデータを基地局１１等を介して携帯端末２に送信する。
【００４８】
網側通信部４２は、帯域制御装置４を通信ネットワーク２０に接続するための通信インターフェース回路を有する。網側通信部４２は、通信ネットワーク２０から受信したデータを端末側通信部４１又は第２処理部４４に供給し、端末側通信部４１又は第２処理部４４から受信したデータを通信ネットワーク２０に送信する。
【００４９】
第２記憶部４３は、第１記憶部３２と同様の構成を有する。第２記憶部４３は、第２処理部４４による処理に用いられるコンピュータプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて第２記憶部４３にインストールされてもよい。
【００５０】
第２処理部４４は、一又は複数個のプロセッサ及びその周辺回路を有する。第２処理部４４は、帯域制御装置４の全体的な動作を統括的に制御するものであり、例えば、ＣＰＵである。第２処理部４４は、帯域制御装置４の各種処理が第２記憶部４３に記憶されているプログラム等に応じて適切な手順で実行されるように、端末側通信部４１及び網側通信部４２等の動作を制御する。第２処理部４４は、第２記憶部４３に記憶されているコンピュータプログラムに基づいて処理を実行する。
【００５１】
第２処理部４４は、判定部４４１と、アクセス制御部４４２とを有する。第２処理部４４が有するこれらの各部は、第２処理部４４が有するプロセッサ上で実行されるコンピュータプログラムによって実装される機能モジュールである。あるいは、第２処理部４４が有するこれらの各部は、独立した集積回路、マイクロプロセッサ、又はファームウェアとして等を介して携帯端末２に実装されてもよい。
【００５２】
図６は、ユーザ情報受付サーバ５の概略構成の一例を示す図である。
【００５３】
ユーザ情報受付サーバ５は、ユーザ情報管理サーバ３と同様に、国内の通信事業者により提供されるサーバであり、通信ネットワーク２０と通信接続される。ユーザ情報受付サーバ５は、国内の通信事業者により提供されたＳＩＭカード２１が挿入された携帯端末２から入力ユーザ情報を受け付け、ユーザ情報管理サーバ３に転送する。そのために、ユーザ情報受付サーバ５は、第３通信部５１と、第３記憶部５２と、第３処理部５３とを備える。
【００５４】
第３通信部５１は、第１通信部３１と同様の構成を有する。第３通信部５１は、通信ネットワーク２０から受信したデータを第３処理部５３に供給し、第３処理部５３から受信したデータを通信ネットワーク２０に送信する。
【００５５】
第３記憶部５２は、第１記憶部３２と同様の構成を有する。第３記憶部５２は、第３処理部５３による処理に用いられるコンピュータプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて第３記憶部５２にインストールされてもよい。また、第３記憶部５２は、データとして、通信ネットワーク２０へのアクセスが許可されたＳＩＭカードのＩＭＳＩ等を記憶する。
【００５６】
第３処理部５３は、第１処理部３３と同様の構成を有する。第３処理部５３は、ユーザ情報受付サーバ５の全体的な動作を統括的に制御するものである。第３処理部５３は、ユーザ情報受付サーバ５の各種処理が第３記憶部５２に記憶されているプログラム等に応じて適切な手順で実行されるように、第３通信部５１等の動作を制御する。第３処理部５３は、第３記憶部５２に記憶されているコンピュータプログラムに基づいて処理を実行する。
【００５７】
第３処理部５３は、送信部５３１と、受信部５３２とを有する。第３処理部５３が有するこれらの各部は、第３処理部５３が有するプロセッサ上で実行されるコンピュータプログラムによって実装される機能モジュールである。あるいは、第３処理部５３が有するこれらの各部は、独立した集積回路、マイクロプロセッサ、又はファームウェアとしてユーザ情報受付サーバ５に実装されてもよい。
【００５８】
なお、サービス設定サーバ７及びサービス管理サーバ８も、それぞれ、ユーザ情報管理サーバ３が有する第１通信部３１、第１記憶部３２及び第１処理部３３と同様の構成に係る通信部、記憶部及び処理部を有する。
【００５９】
図７は、通信システム１による、ＳＩＭカード２１が挿入される携帯端末２からユーザ情報受付サーバ５へのアクセスを許可するための事前登録処理に係る動作シーケンスの一例を示す。
【００６０】
以下に説明する動作シーケンスは、予め通信システム１が有する各装置の記憶部に記憶されているプログラムに基づいて、主に各装置の処理部により、各装置の各要素と協働して実行される。この動作シーケンスは、ＳＩＭカード２１が販売される前に、例えばＳＩＭカード２１が、ＳＩＭカード２１を提供する国内の通信事業者の倉庫に納入されている時に実行される。
【００６１】
最初に、設定端末６は、操作者によるＳＩＭカード２１の登録コード、ＭＳＮ及びＩＭＳＩの入力を受け付け、入力された各情報をユーザ情報管理サーバ３に送信する（ステップＳ１０１）。なお、設定端末６は、事前に設定されていた各ＳＩＭカード２１の登録コード、ＭＳＮ及びＩＭＳＩを所定のタイミングでバッチ処理等により自動的にユーザ情報管理サーバ３に送信してもよい。
【００６２】
次に、ユーザ情報管理サーバ３の仮登録部３３１は、第１通信部３１を介して設定端末６から各情報を受信した場合、仮ユーザ情報を生成し、ユーザ情報として、受信した各情報と関連付けてＳＩＭカードテーブルに記憶する（ステップＳ１０２）。また、仮登録部３３１は、ＳＩＭカードテーブルにおいて、受信した各情報に関連付けられた状態を仮登録に更新する。
【００６３】
次に、仮登録部３３１は、第１通信部３１を介してサービス設定サーバ７に仮登録要求信号を送信する（ステップＳ１０３）。仮登録要求信号は、ＳＩＭカード２１が挿入された携帯端末２から通信ネットワーク２０へのアクセスの内、ユーザ情報受付サーバ５へのアクセスのみを許可することを要求するための信号であり、仮登録要求信号には、ＳＩＭカード２１のＩＭＳＩが含まれる。
【００６４】
次に、サービス設定サーバ７は、ユーザ情報管理サーバ３から仮登録要求信号を受信した場合、ＨＬＲ／ＨＳＳ９に端末登録信号を送信する（ステップＳ１０４）。端末登録信号は、ＳＩＭカード２１が挿入された携帯端末２がＨＬＲ／ＨＳＳ９に位置登録できるように、ＳＩＭカード２１のＩＭＳＩをＨＬＲ／ＨＳＳ９に登録するための信号であり、端末登録信号には、ＳＩＭカード２１のＩＭＳＩが含まれる。ＨＬＲ／ＨＳＳ９は、端末登録信号を受信した場合、端末登録信号に含まれるＩＭＳＩを送信する携帯端末２が位置登録できるように設定する。
【００６５】
次に、サービス設定サーバ７は、状態管理サーバ１０に限定登録信号を送信する（ステップＳ１０５）。限定登録信号は、ＳＩＭカード２１が挿入された携帯端末２が通信ネットワーク２０の内、ユーザ情報受付サーバ５へのみアクセスできるように、ＳＩＭカード２１のＩＭＳＩを状態管理サーバ１０に登録するための信号であり、限定登録信号には、ＳＩＭカード２１のＩＭＳＩが含まれる。
【００６６】
次に、状態管理サーバ１０は、限定登録信号を受信した場合、限定登録信号に含まれるＩＭＳＩを送信する携帯端末２から通信ネットワーク２０へのアクセスの内、ユーザ情報受付サーバ５へのアクセスのみを許可し、他の装置へのアクセスを拒否するように設定する（ステップＳ１０６）。以上により、事前登録処理は終了する。
【００６７】
図８は、通信システム１による、ＳＩＭカード２１が挿入された携帯端末２から通信ネットワーク２０へのアクセスを許可するための正式登録処理に係る動作シーケンスの一例を示す。
【００６８】
以下に説明する動作シーケンスは、予め通信システム１が有する各装置の記憶部に記憶されているプログラムに基づいて、主に各装置の処理部により、各装置の各要素と協働して実行される。この動作シーケンスは、携帯端末２のユーザによりＳＩＭカード２１が購入され、携帯端末２に挿入された後に実行される。
【００６９】
最初に、ＳＩＭカード２１が挿入された携帯端末２は、通信ネットワーク２０へアクセスする（ステップＳ２０１）。なお、ＳＩＭカード２１が販売される場合に提供される取扱説明書等には、通信ネットワーク２０へアクセスするために、まずユーザ情報受付サーバ５にアクセスし、ユーザ情報を登録する必要がある旨、及び、ユーザ情報受付サーバ５のアドレス（ＵＲＬ）等が記載される。ＳＩＭカード２１を購入したユーザは、携帯端末２にＳＩＭカード２１を挿入して、取扱説明書等の記載に従って、携帯端末２からユーザ情報受付サーバ５のアドレスにアクセスする。携帯端末２は、ＳＩＭカード２１のＩＭＳＩを基地局１１を介して帯域制御装置４に送信し、通信ネットワーク２０（ユーザ情報受付サーバ５のアドレス）にアクセスする。
【００７０】
次に、帯域制御装置４の判定部４４１は、携帯端末２から通信ネットワーク２０へのアクセスがあった場合、携帯端末２から送信されたＩＭＳＩを端末側通信部４１を介して受信し、網側通信部４２を介して状態管理サーバ１０に問合せ信号を送信する（ステップＳ２０２）。問合せ信号は、携帯端末２から通信ネットワーク２０へのアクセスが許可されているか否かを問い合わせるための信号であり、問合せ信号には、携帯端末２から受信したＩＭＳＩが含まれる。
【００７１】
次に、状態管理サーバ１０は、帯域制御装置４から問合せ信号を受信した場合、応答信号を帯域制御装置４に送信する（ステップＳ２０３）。応答信号は、問合せ信号に含まれるＩＭＳＩに対応する携帯端末２から通信ネットワーク２０へのアクセスが許可されているか否かを示す情報を通知するための信号である。応答信号は、携帯端末２から通信ネットワーク２０へのアクセスが許可されているか、ユーザ情報受付サーバ５へのアクセスのみが許可され他の装置へのアクセスが拒否されているか、又は、全てのアクセスが拒否されているかの内の何れかを示す。
【００７２】
次に、帯域制御装置４の判定部４４１は、網側通信部４２を介して状態管理サーバ１０から応答信号を受信した場合、受信した応答信号に基づいて、ＳＩＭカード２１のＩＭＳＩと関連付けてユーザ情報管理サーバ３に記憶されたユーザ情報が正式ユーザ情報又は仮ユーザ情報の何れであるかを判定する（ステップＳ２０４）。
【００７３】
判定部４４１は、応答信号が携帯端末２から通信ネットワーク２０へのアクセスが許可されていることを示す場合、ユーザ情報管理サーバ３に記憶されたユーザ情報が正式ユーザ情報であると判定する。一方、判定部４４１は、応答信号が携帯端末２からユーザ情報受付サーバ５へのアクセスのみが許可され他の装置へのアクセスが拒否されていることを示す場合、ユーザ情報管理サーバ３に記憶されたユーザ情報が仮ユーザ情報であると判定する。なお、判定部４４１は、応答信号が全てのアクセスが拒否されていることを示す場合、ユーザ情報管理サーバ３にまだユーザ情報が記憶されていないと判定する。
【００７４】
アクセス制御部４４２は、ユーザ情報が正式ユーザ情報であった場合、携帯端末２から通信ネットワーク２０へのアクセスを許可する。一方、アクセス制御部４４２は、ユーザ情報が仮ユーザ情報であった場合、携帯端末２から通信ネットワーク２０へのアクセスを拒否する。但し、この場合、アクセス制御部４４２は、携帯端末２から通信ネットワーク２０へのアクセスの内、携帯端末２からユーザ情報受付サーバ５へのアクセスのみを許可し、他の装置へのアクセスを拒否する。なお、アクセス制御部４４２は、ユーザ情報管理サーバ３にまだユーザ情報が記憶されていない場合、携帯端末２から通信ネットワーク２０への全てのアクセスを拒否する。
【００７５】
次に、アクセス制御部４４２は、ユーザ情報が仮ユーザ情報であり、且つ、そのアクセスが携帯端末２からユーザ情報受付サーバ５へのアクセスであった場合、携帯端末２からの信号をユーザ情報受付サーバ５へ転送する（ステップＳ２０５）。
【００７６】
次に、ユーザ情報受付サーバ５の送信部５３１は、第３通信部５１を介して携帯端末２からのアクセスがあった場合、携帯端末２から送信されたＩＭＳＩが、通信ネットワーク２０へのアクセスが許可されたＳＩＭカードのＩＭＳＩとして、第３記憶部５２に既に記憶されているか否かを判定する。送信部５３１は、携帯端末２から送信されたＩＭＳＩが、通信ネットワーク２０へのアクセスが許可されたＳＩＭカードのＩＭＳＩとして、まだ記憶されていない場合、入力要求情報を第３通信部５１を介して帯域制御装置４に送信する（ステップＳ２０６）。
【００７７】
次に、帯域制御装置４のアクセス制御部４４２は、網側通信部４２を介してユーザ情報受付サーバ５から入力要求情報を受信した場合、受信した入力要求情報を端末側通信部４１を介して携帯端末２に転送する（ステップＳ２０７）。携帯端末２は、帯域制御装置４から入力要求情報を受信した場合、入力要求情報に示される情報を表示する。
【００７８】
図９は、ユーザ情報受付サーバ５から入力要求情報として送信され、携帯端末２に表示される画面の一例である。
【００７９】
図９に示すように、携帯端末２に表示される画面９００には、入力ユーザ情報の送信を促すテキスト９０１、ユーザ名の入力フォーム９０２、パスポート番号の入力フォーム９０３、パスポート画像選択ボタン９０４及び登録ボタン９０５等が表示される。パスポート画像選択ボタン９０４が押下された場合、携帯端末２に記憶された画像を選択するための画面が表示され、ユーザは、パスポートを撮影した画像を選択することができる。入力フォーム９０２にパスポートに記載されたユーザの名前が入力され、入力フォーム９０３にパスポート番号が入力され、パスポートを撮影した画像が選択された上で登録ボタン９０５が押下されると、入力された各情報は入力ユーザ情報としてユーザ情報受付サーバ５に送信される。
【００８０】
次に、携帯端末２は、ユーザによる操作に従って入力された入力ユーザ情報を帯域制御装置４に送信する（ステップＳ２０８）。
【００８１】
次に、帯域制御装置４のアクセス制御部４４２は、端末側通信部４１を介して携帯端末２から入力ユーザ情報を受信した場合、受信した入力ユーザ情報を網側通信部４２を介してユーザ情報受付サーバ５に転送する（ステップＳ２０９）。
【００８２】
次に、ユーザ情報受付サーバ５の受信部５３２は、第３通信部５１を介して携帯端末２から入力ユーザ情報を受信した場合、入力ユーザ情報を第３通信部５１を介してユーザ情報管理サーバ３に転送する（ステップＳ２１０）。
【００８３】
次に、ユーザ情報管理サーバ３の登録部３３２は、第１通信部３１を介して携帯端末２から入力ユーザ情報を受信した場合、受信した入力ユーザ情報の認証を行う。登録部３３２は、入力ユーザ情報に含まれるパスポートを撮影した画像及びユーザの名前及びパスポート番号を操作者に通知し、操作者によって入力された認証結果に従って、認証が成功したか失敗したかを判定する。または、登録部３３２は、公知のＯＣＲ（Optical Character Recognition）技術を利用して、認証を行ってもよい。その場合、登録部３３２は、入力ユーザ情報に含まれるパスポートを撮影した画像から、ユーザの名前及びパスポート番号を特定する。登録部３３２は、画像から特定した名前及びパスポート番号が、入力ユーザ情報に含まれる名前及びパスポート番号と一致するか否かにより、認証が成功したか失敗したかを判定する。これらにより、登録されるユーザ情報の信頼性を向上させることが可能となる。
【００８４】
登録部３３２は、パスポートを撮影した画像を用いたユーザ情報の認証に成功した場合、ＳＩＭカードテーブルにおいてＳＩＭカード２１のＩＭＳＩに関連付けて記憶された仮ユーザ情報を、受信した入力ユーザ情報に更新する。即ち、登録部３３２は、受信した入力ユーザ情報を正式ユーザ情報としてＳＩＭカード２１のＩＭＳＩに関連付けて登録する（ステップＳ２１１）。また、登録部３３２は、ＳＩＭカードテーブルにおいて、そのＩＭＳＩに関連付けられた状態を正式登録に更新する。
【００８５】
次に、登録部３３２は、第１通信部３１を介してユーザ情報受付サーバ５に結果信号を送信する（ステップＳ２１２）。結果信号は、入力ユーザ情報の認証が成功したか失敗したか、即ち入力ユーザ情報が正式ユーザ情報として登録されたか否かを示す。
【００８６】
次に、ユーザ情報受付サーバ５の受信部５３２は、第３通信部５１を介してユーザ情報管理サーバ３から結果信号を受信した場合、受信した結果信号に基づいて、入力ユーザ情報の認証が成功したか否かを判定する。受信部５３２は、入力ユーザ情報の認証が失敗した場合、ＳＩＭカード２１が挿入された携帯端末２から通信ネットワーク２０へのアクセスを許可せずに、処理を終了する。
【００８７】
一方、受信部５３２は、入力ユーザ情報の認証が成功した場合、ＳＩＭカード２１のＩＭＳＩを、通信ネットワーク２０へのアクセスが許可されたＳＩＭカードのＩＭＳＩとして、第３記憶部５２に記憶する。次に、受信部５３２は、第１通信部３１を介してサービス管理サーバ８に登録要求信号を送信する（ステップＳ２１３）。登録要求信号は、ＳＩＭカード２１が挿入された携帯端末２から通信ネットワーク２０への所定期間及び所定通信量のアクセスを許可することを要求するための信号である。登録要求信号には、ＳＩＭカード２１のＩＭＳＩ、通信ネットワーク２０へのアクセスを許可する許可期間及び許可通信量が含まれる。
【００８８】
次に、サービス管理サーバ８の制御部は、通信部を介してユーザ情報受付サーバ５から登録要求信号を受信した場合、通信部を介してサービス設定サーバ７に正式登録要求信号を送信する（ステップＳ２１４）。正式登録要求信号は、ＳＩＭカード２１が挿入された携帯端末２から通信ネットワーク２０への全てのアクセスを許可することを要求するための信号であり、正式登録要求信号には、ＳＩＭカード２１のＩＭＳＩが含まれる。
【００８９】
次に、サービス設定サーバ７は、サービス管理サーバ８から正式登録要求信号を受信した場合、ＨＬＲ／ＨＳＳ９に端末登録信号を送信する（ステップＳ２１５）。
【００９０】
次に、サービス設定サーバ７は、状態管理サーバ１０に通常登録信号を送信する（ステップＳ２１６）。通常登録信号は、ＳＩＭカード２１が挿入された携帯端末２が通信ネットワーク２０にアクセスできるように、ＳＩＭカード２１のＩＭＳＩを状態管理サーバ１０に登録するための信号であり、通常登録信号には、ＳＩＭカード２１のＩＭＳＩが含まれる。
【００９１】
次に、状態管理サーバ１０は、通常登録信号を受信した場合、通常登録信号に含まれるＩＭＳＩを送信する携帯端末２から通信ネットワーク２０へのアクセスを許可するように設定する（ステップＳ２１７）。以上により、正式登録処理は終了する。
【００９２】
これにより、ＳＩＭカード２１が挿入された携帯端末２から通信ネットワーク２０へのアクセスが許可される。
【００９３】
なお、サービス管理サーバ８は、ステップＳ２１４において受信した登録要求信号に含まれるＳＩＭカード２１のＩＭＳＩ、許可期間及び許可通信量を記憶部に記憶する。そして、サービス管理サーバ８は、ＳＩＭカード２１が挿入された携帯端末２から通信ネットワーク２０へのアクセスが許可されると、計時を開始し、携帯端末２による通信ネットワーク２０の使用期間が許可期間を越えたか否かを監視する。また、サービス管理サーバ８は、ＳＩＭカード２１が挿入された携帯端末２が通信ネットワーク２０へアクセスする度に、携帯端末２による通信量を帯域制御装置４から受信し、携帯端末２による通信ネットワーク２０の使用通信量が許可通信量を越えたか否かを監視する。
【００９４】
図１０は、通信システム１による、ＳＩＭカード２１が挿入された携帯端末２の通信ネットワーク２０の使用状態の監視処理に係る動作シーケンスの一例を示す。
【００９５】
以下に説明する動作シーケンスは、予め通信システム１が有する各装置の記憶部に記憶されているプログラムに基づいて、主に各装置の処理部により、各装置の各要素と協働して実行される。この動作シーケンスは、定期的に実行される。
【００９６】
最初に、サービス管理サーバ８の処理部は、通信ネットワーク２０へのアクセスが許可された各携帯端末２による通信ネットワーク２０の使用状態を判定する（ステップＳ３０１）。
【００９７】
次に、サービス管理サーバ８の処理部は、携帯端末２による通信ネットワーク２０の使用期間が許可期間を越えた場合、又は、使用通信量が許可通信量を越えた場合、通信部を介してサービス設定サーバ７に解除要求信号を送信する（ステップＳ３０２）。解除要求信号は、ＳＩＭカード２１が挿入された携帯端末２から通信ネットワーク２０へのアクセスの許可を解除し、ユーザ情報受付サーバ５へのアクセスのみを許可することを要求するための信号であり、解除要求信号には、ＳＩＭカード２１のＩＭＳＩが含まれる。
【００９８】
次に、サービス設定サーバ７は、ユーザ情報管理サーバ３から解除要求信号を受信した場合、ＨＬＲ／ＨＳＳ９に端末登録信号を送信する（ステップＳ３０３）。
【００９９】
次に、サービス設定サーバ７は、状態管理サーバ１０に限定登録信号を送信する（ステップＳ３０４）。
【０１００】
次に、状態管理サーバ１０は、限定登録信号を受信した場合、限定登録信号に含まれるＩＭＳＩを送信する携帯端末２から通信ネットワーク２０へのアクセスの内、ユーザ情報受付サーバ５へのアクセスのみを許可し、他の装置へのアクセスを拒否するように設定する（ステップＳ３０５）。以上により、使用状態の監視処理は終了する。
【０１０１】
このように、ＳＩＭカード２１が挿入された携帯端末２から通信ネットワーク２０へのアクセスは、許可期間及び／又は許可通信量に限り許可される。
【０１０２】
図１１は、通信システム１による、許可期間又は許可通信量を追加するための追加処理に係る動作シーケンスの一例を示す。
【０１０３】
以下に説明する動作シーケンスは、予め通信システム１が有する各装置の記憶部に記憶されているプログラムに基づいて、主に各装置の処理部により、各装置の各要素と協働して実行される。この動作シーケンスは、携帯端末２のユーザによりＳＩＭカード２１が購入され、携帯端末２に挿入された後に実行される。なお、この動作シーケンスのステップＳ４０１〜Ｓ４０５の処理は、図８に示した動作シーケンスのステップＳ２０１〜Ｓ２０５の処理と同様であるため、詳細な説明を省略し、以下ではステップＳ４０６以降の処理についてのみ説明する。
【０１０４】
ステップＳ４０６において、ユーザ情報受付サーバ５の送信部５３１は、第３通信部５１を介して携帯端末２からのアクセスがあった場合、携帯端末２から送信されたＩＭＳＩが、通信ネットワーク２０へのアクセスが許可されたＳＩＭカードのＩＭＳＩとして、第３記憶部５２に既に記憶されているか否かを判定する。送信部５３１は、携帯端末２から送信されたＩＭＳＩが、通信ネットワーク２０へのアクセスが許可されたＳＩＭカードのＩＭＳＩとして、既に記憶されている場合、追加情報の送信を促す追加要求情報を第３通信部５１を介して帯域制御装置４に送信する（ステップＳ４０６）。
【０１０５】
追加情報は、許可期間又は許可通信量の追加指示を示す情報であり、携帯端末２のユーザによって入力される。追加情報には、許可期間又は許可通信量の追加分（追加期間又は追加通信量）、及び、追加期間又は追加通信量に対する対価を支払うためのクレジットカード番号等のクレジットカード情報等が含まれる。ユーザ情報受付サーバ５は、追加要求情報として、例えば追加情報の入力フォームを有するＷｅｂ画面を携帯端末２に送信する。
【０１０６】
次に、帯域制御装置４のアクセス制御部４４２は、網側通信部４２を介してユーザ情報受付サーバ５から追加要求情報を受信した場合、受信した追加要求情報を端末側通信部４１を介して携帯端末２に転送する（ステップＳ４０７）。携帯端末２は、帯域制御装置４から追加要求情報を受信した場合、追加要求情報に示される情報を表示する。
【０１０７】
図１２は、ユーザ情報受付サーバ５から追加要求情報として送信され、携帯端末２に表示される画面の一例である。
【０１０８】
図１２に示すように、携帯端末２に表示される画面１２００には、追加情報の送信を促すテキスト１２０１、追加期間又は追加通信量の入力フォーム１２０２、クレジットカード番号の入力フォーム１２０３及び登録ボタン１２０４等が表示される。入力フォーム１２０２に追加期間又は追加通信量が入力され、入力フォーム１２０３にクレジットカード番号が入力されて登録ボタン１２０５が押下されると、入力された各情報は追加情報としてユーザ情報受付サーバ５に送信される。
【０１０９】
次に、携帯端末２は、ユーザによる操作に従って入力された追加情報を帯域制御装置４に送信する（ステップＳ４０８）。
【０１１０】
次に、帯域制御装置４のアクセス制御部４４２は、端末側通信部４１を介して携帯端末２から追加情報を受信した場合、受信した追加情報を網側通信部４２を介してユーザ情報受付サーバ５に転送する（ステップＳ４０９）。
【０１１１】
次に、ユーザ情報受付サーバ５の受信部５３２は、第３通信部５１を介して携帯端末２から追加情報を受信した場合、追加情報を第３通信部５１を介してサービス管理サーバ８に転送する（ステップＳ４１０）。
【０１１２】
次に、サービス管理サーバ８の制御部は、通信部を介して携帯端末２から追加情報を受信した場合、受信した追加情報に含まれるクレジットカード番号をクレジットカード管理サーバ（不図示）に送信し、クレジットカード番号が正当であるか否かを問い合わせる。サービス管理サーバ８の制御部は、クレジットカード番号が正当であった場合、受信した追加情報に含まれる追加期間及び追加通信量に基づいて、許可期間及び許可通信量を追加するように、許可期間又は許可通信量を更新する（ステップＳ４１１）。
【０１１３】
このように、通信システム１は、許可期間又は許可通信量を追加する場合、ユーザにクレジットカード情報を要求する。一方、前述したように、通信システム１は、正式ユーザ情報が新たに登録された場合、携帯端末２からクレジットカード情報を受信しているか否かに関わらず、許可期間又は許可通信量に限り通信ネットワーク２０へのアクセスを許可する。携帯端末２のユーザは、ＳＩＭカード２１を購入すれば、クレジットカード情報を提示することなく通信ネットワーク２０を使用できるため、通信システム１は、ユーザの利便性を向上させるとともに、重要な個人情報の漏えい等の発生を抑制することができる。
【０１１４】
次に、サービス管理サーバ８の制御部は、通信部を介してサービス設定サーバ７に追加要求信号を送信する（ステップＳ４１２）。追加要求信号は、許可期間又は許可通信量を追加するための信号であり、追加要求信号には、ＳＩＭカード２１のＩＭＳＩが含まれる。
【０１１５】
次に、サービス設定サーバ７は、ユーザ情報管理サーバ３から追加要求信号を受信した場合、ＨＬＲ／ＨＳＳ９に端末登録信号を送信する（ステップＳ４１３）。
【０１１６】
次に、サービス設定サーバ７は、状態管理サーバ１０に通常登録信号を送信する（ステップＳ４１４）。
【０１１７】
次に、状態管理サーバ１０は、通常登録信号を受信した場合、通常登録信号に含まれるＩＭＳＩを送信する携帯端末２から通信ネットワーク２０へのアクセスを許可するように設定する（ステップＳ４１５）。これにより、ＳＩＭカード２１が挿入された携帯端末２から通信ネットワーク２０へのアクセスが許可される。以上により、追加処理は終了する。
【０１１８】
以上説明してきたように、通信システム１は、ＳＩＭカード２１について仮ユーザ情報を事前に登録しておき、ＳＩＭカード２１が挿入された携帯端末２が正式ユーザ情報を登録するためのユーザ情報受付サーバ５にのみアクセス可能に設定しておく。ユーザ情報受付サーバ５は、携帯端末２からアクセスがあった場合、携帯端末２のユーザに入力ユーザ情報の送信を促して、正式ユーザ情報を登録させる。これにより、携帯端末２のユーザは、国内の通信事業者が営業する店舗に訪れることなく、通信ネットワーク２０を介して正式ユーザ情報を登録することが可能となる。通信システム１は、国外のユーザに、国内の通信事業者が営業する店舗に訪れさせることなく、ユーザに関する情報を取得することができ、不測の事態が発生した場合に、ユーザに連絡を取ることが可能となる。したがって、通信システム１は、ＳＩＭカード２１が挿入された携帯端末２を通信ネットワーク２０へアクセスさせる際のユーザの利便性を向上させることが可能となる。
【０１１９】
国内の通信事業者は、ＳＩＭカード２１に割り当てる許可期間又は許可通信量の上限等を設定することにより、ユーザに請求する課金額の上限を設定することができる。さらに、国内の通信事業者は、ＳＩＭカード２１をプリペイド方式で提供することもできる。このように、通信システム１は、国内の通信事業者の料金設定に従った国際ローミングサービスを提供することにより、ユーザのニーズに応じた柔軟なサービスを提供することが可能になる。
【０１２０】
なお、本実施形態では、国外の通信事業者と加入契約している国外のユーザにより使用されている携帯端末２に、その国外の通信事業者がローミング提携している国内の通信事業者が提供する通信ネットワークを使用させる場合の例について説明した。しかしながら、本発明は、国内の通信事業者と加入契約している国内のユーザにより使用されている携帯端末に、その国内の通信事業者と異なる国内の通信事業者が提供する通信ネットワークを使用させる場合等にも適用することが可能である。
【０１２１】
また、本実施形態では、ユーザ情報管理サーバ３が、ＳＩＭカード２１の登録コードと関連付けて、ＳＩＭカード２１に割り当てられたＭＳＮ及びＩＭＳＩを記憶しておく例について説明した。ＭＳＮ及びＩＭＳＩの両方を記憶しておくことによりユーザの連絡先をより容易に特定できるが、ＩＭＳＩのみを記憶していればユーザの連絡先を特定できるため、ＭＳＮについては記憶しなくてもよい。
【０１２２】
当業者は、本発明の精神及び範囲から外れることなく、様々な変更、置換及び修正をこれに加えることが可能であることを理解されたい。
【符号の説明】
【０１２３】
１    通信システム
３    ユーザ情報管理サーバ
３２    第１記憶部
３３１    仮登録部
３３２    登録部
４    帯域制御装置
４４１    判定部
４４２    アクセス制御部
５    ユーザ情報受付サーバ
５３１    送信部
５３２    受信部
【図１】
2018046533.tif 000003
【図２】
2018046533.tif 000004
【図３】
2018046533.tif 000005
【図４】
2018046533.tif 000006
【図５】
2018046533.tif 000007
【図６】
2018046533.tif 000008
【図７】
2018046533.tif 000009
【図８】
2018046533.tif 000010
【図９】
2018046533.tif 000011
【図１０】
2018046533.tif 000012
【図１１】
2018046533.tif 000013
【図１２】
2018046533.tif 000014